(57)【特許請求の範囲】
【請求項１】
合成樹脂製パレットを一体的に射出成形する際に使用される合成樹脂製パレット金型構造において、該合成樹脂製パレット金型構造が、平坦な下面を有する固定型と、上面から下方に向かって延在する中間スリットを介して配置された細長い三角柱部を有する上下動可能な可動型と、横方向に移動可能なスライド型とからなり、前記固定型と前記可動型と前記スライド型とにより形成される間隙に、溶融樹脂を流し込むことにより、隅桁が成形されるように構成されており、また、前記可動型を構成する三角柱部の上面には、凸部が突設されているとともに、前記固定型の下面には、前記三角柱部の上面に突設された凸部が嵌合される凹部が形成されていることを特徴とする合成樹脂製パレット用金型構造。
【請求項２】
前記スライド型の側壁面の上部に、突き当て突起を突設し、該突き当て突起が、前記可動型を構成する三角柱部の側壁面の上部に当接するように構成したことを特徴とする請求項１に記載の合成樹脂製パレット用金型構造。
【請求項３】
前記固定型の垂直面の上端部の一部と前記可動型を構成する三角柱部の上端部の一部とが、突き当てられるように構成されていることを特徴とする請求項１又は請求項２に記載の合成樹脂製パレット用金型構造。
【発明の詳細な説明】
【０００１】
【発明の属する技術分野】
本発明は、合成樹脂製パレットを射出成形により、一体に成形する際に使用する合成樹脂製パレット用金型構造に関するものである。
【０００２】
【従来の技術】
従来、上部デッキボードと下部デッキボードを有するとともに、上部デッキボードと下部デッキボードとが、上部デッキボードと下部デッキボードの４つの角部を連結する隅桁、隅桁間に位置する中間桁及び中央部に位置する中央桁により連結されている、合成樹脂で一体成形されたパレットが知られてる。
【０００３】
図９及び図１０に示されているように、上部デッキボード１と下部デッキボード２の４つの角部を連結する隅桁３内には、合成樹脂製パレットの対角線上に位置する外側角部３ａを挟んで位置する側壁３ｂに対して、それぞれ、略平行な仕切り壁３ｃが形成されており、外側角部３ａを挟んで位置する側壁３ｂと仕切り壁３ｃと天部３ｄとにより、外側角部３ａ付近の隅桁３内には、下方が開放された、底無しの角柱状空間部Ｓ１が形成されており、また、角柱状の空間部Ｓ１は、外側角部３ａと、仕切り壁３ｃにより形成される空間部Ｓ１の内側角部３ｅを連結する分割仕切り壁３ｆにより、２個の三角柱状空間部ｓ１に分割されている。このように、仕切り壁３ｃや分割仕切り壁３ｆを形成することにより、隅桁３の外側角部３ａ付近の強度や剛性を高めるように構成されている。
【０００４】
上述した構造を有する隅桁３内の仕切り壁３ｃや分割仕切り壁３ｆを成形するために、一例として、図１１及び図１２に示されているような、仕切り壁３ｃや天部３ｄを形成するための固定型ｍ１と、分割仕切り壁３ｆや、固定型ｍ１と共働して天部３ｄを形成する、中間スリットｍ２ａを介して配置された三角柱部ｍ２ｂを有する上下方向に移動可能な可動型ｍ２と、可動型ｍ２と共働して外側角部３ａを挟んで位置する側壁３ｂ等を形成する、横方向に移動可能なスライド型ｍ３とからなる金型構造Ｍ１が組み立てられ、固定型ｍ１、可動型ｍ２及びスライド型ｍ３とにより形成される間隙Ｄ１に溶融樹脂を流し込むことにより、隅桁３の側壁３ｂや仕切り壁３ｃや分割仕切り壁３ｆ等が成形されることになる。
【０００５】
【発明が解決しようとする課題】
従来、上述した分割仕切り壁３ｆにより仕切られた三角柱状空間部ｓ１が細長いために、可動型ｍ２を形成する一対の三角柱部ｍ２ｂが細長く、従って、間隙Ｄ１に流れ込む溶融樹脂の射出圧により、三角柱部ｍ２ｂが損傷するという問題や、三角柱部ｍ２ｂが溶融樹脂の射出圧により傾いてしまい、肉厚が偏肉するという問題があった。
【０００６】
本発明の目的は、上述した従来の合成樹脂製パレット用金型構造が有する課題を解決することにある。
【０００７】
【課題を解決するための手段】
本発明は、上述した目的を達成するために、合成樹脂製パレットを一体的に射出成形する際に使用される合成樹脂製パレット用金型構造において、第１には、該合成樹脂製パレット金型構造が、平坦な下面を有する固定型と、上面から下方に向かって延在する中間スリットを介して配置された細長い三角柱部を有する上下動可能な可動型と、横方向に移動可能なスライド型とからなり、前記固定型と前記可動型と前記スライド型とにより形成される間隙に、溶融樹脂を流し込むことにより、隅桁が成形されるように構成されており、また、前記可動型を構成する三角柱部の上面に、凸部を突設するとともに、前記固定型の下面に、前記三角柱部の上面に突設された凸部が嵌合される凹部を形成したものであり、第２には、前記スライド型の側壁面の上部に、突き当て突起を突設し、該突き当て突起が、前記可動型を構成する三角柱部の側壁面の上部に当接するように構成したものであり、第３には、前記固定型の垂直面の上端部の一部と前記可動型を構成する三角柱部の上端部の一部とが、突き当てられるように構成したものである。
【０００８】
【実施例】
以下に、本発明の実施例について説明するが、本発明の趣旨を越えない限り何ら、本実施例に限定されるものではない。なお、上述した従来の合成樹脂製パレット用金型構造と同じ構成部材につては、同じ符号を使用するとともに、その詳細な説明は省略する。
【０００９】
本実施例においても、金型構造Ｍ２は、上述した従来の仕切り壁３ｃや天部３ｄ等を形成する固定型ｍ１と、分割仕切り壁３ｆや、固定型ｍ１と共働して天部３ｄを形成する、中間スリットｍ２ａを介して配置された細長い三角柱部ｍ２ｂを有する上下方向に移動可能な可動型ｍ２と、可動型ｍ２と共働して外側角部３ａを挟んで位置する側壁３ｂ等を形成する、横方向に移動可能なスライド型ｍ３とから構成されており、固定型ｍ１、可動型ｍ２及びスライド型ｍ３とにより形成される間隙Ｄ１に、溶融樹脂を流し込むことにより、隅桁３内の仕切り壁３ｃや分割仕切り壁３ｆが成形される。
【００１０】
本実施例においては、上下方向に移動可能な可動型ｍ２を構成する三角柱部ｍ２ｂの上面に、凸部ｍ２ｃが形成されており、また、可動型ｍ２の三角柱部ｍ２ｂの上面に形成された凸部ｍ２ｃが嵌合可能な凹部ｍ１ａが、固定型ｍ１の下面に形成されている。そして、金型構造Ｍ２が組み立てられた状態においては、可動型ｍ２の三角柱部ｍ２ｂの上面に形成された凸部ｍ２ｃが、固定型ｍ１の下面に突設された凹部ｍ１ａに嵌合し、可動型ｍ２の細長い三角柱部ｍ２ｂの上部が、固定型ｍ１により支えられるように構成されているので、間隙Ｄ１に流れ込む溶融樹脂の射出圧により、可動型ｍ２の細長い三角柱部ｍ２ｂが湾曲したり、折れたりするような損傷を防止することができるとともに、可動型ｍ２の細長い三角柱部ｍ２ｂの傾動による隅桁３の側壁３ｂや仕切り壁３ｃ等の肉厚が不均一になるのを防止することができる。なお、可動型ｍ２の三角柱部ｍ２ｂの上面に、凹部を突設し、固定型ｍ１の下面に、凸部を形成することもできる。
【００１１】
上述した金型構造Ｍ２により射出成形された合成樹脂製パレットの隅桁３の天部３ｄには、図３に示されているように、可動型ｍ２の細長い三角柱部ｍ２ｂの上面に形成された凸部ｍ２ｃにより、透孔３ｄ１が形成されることになる。
【００１２】
図４〜図６に示されている実施例は、横方向に移動可能なスライド型ｍ３の側壁面ｍ３ａの上部に、突き当て突起ｍ３ｂを突設し、この突き当て突起ｍ３ｂを、可動型ｍ２の三角柱部ｍ２ｂの側壁面ｍ２ｄの上部に当接するようにしたものである。このように構成することにより、更に、可動型ｍ２の細長い三角柱部ｍ２ｂが湾曲し、折れたりするような損傷を防止することができる。なお、可動型ｍ２の細長い三角柱部ｍ２ｂの側壁面ｍ２ｄの上部に、突き当て突起を突設し、この突き当て突起を、スライド型ｍ３の側壁面ｍ３ａの上部に当接するように構成することもできる。
【００１３】
上述した金型構造Ｍ３により射出成形された合成樹脂製パレットの隅桁３の外側角部３ａを挟んで位置する側壁３ｂには、透孔３ｂ１が形成されることになる。
【００１４】
図７及び図８に示されている実施例は、仕切り壁３ｃを形成する固定型ｍ１の垂直面ｍ１ｂの上端部ｍ１ｃの一部と、同じく、固定型ｍ１と共働して仕切り壁３ｃを形成する可動型ｍ２の三角柱部ｍ２ｂの上端部ｍ２ｂ’の一部とを、突き当てたものである。上述したように、可動型ｍ２の三角柱部ｍ２ｂの上面に形成された凸部ｍ２ｃを、固定型ｍ１の下面に突設された凹部ｍ１ａに嵌合することにより、可動型ｍ２の細長い三角柱部ｍ２ｂの上部を支えるとともに、横方向に移動可能なスライド型ｍ３の側壁面ｍ３ａの上部に突設された突き当て突起ｍ３ｂを、可動型ｍ２を構成する三角柱部ｍ２ｂの側壁面ｍ２ｄの上部に当接することにより、更に、可動型ｍ２を支えることに追加して、仕切り壁３ｃを形成する固定型ｍ１の垂直面ｍ１ｂの上端部ｍ１ｃの一部と、同じく、固定型ｍ１と共働して仕切り壁３ｃを形成する可動型ｍ２の三角柱部ｍ２ｂの上端部ｍ２ｂ’の一部とを突き当てることにより、可動型ｍ２を構成する三角柱部ｍ２ｂを支えるように構成したので、可動型ｍ２の細長い三角柱部ｍ２ｂが湾曲したり、折れたりするような損傷を確実に防止することができる。
【００１５】
上述した金型構造Ｍ４により射出成形された合成樹脂製パレットの隅桁３の天部３ｄには、切り欠き３ｄ２が形成されるとともに、仕切り壁３ｃの上端には、三角柱状空間部ｓ１に連通する透孔３ｃ１が形成されることになる。
【００１６】
【発明の効果】
本発明は、以上説明した構成を有しているので、以下に記載する効果を奏するものである。
【００１７】
細長い可動型と、該可動型に接近して配置される固定型とを、凹部と凸部とからなる嵌合手段を介して連結したので、溶融樹脂の射出圧により、可動型が湾曲したり、折れたりするような損傷を防止することができるとともに、可動型の傾動により肉厚が不均一になるようなことを防止することができる。
【００１８】
可動型とスライド型とを、突き当て突起を介して当接したので、更に、溶融樹脂の射出圧により、可動型が湾曲したり、折れたりするような損傷を防止することができる。
【００１９】
可動型と固定型とを、突き当て突起を介して当接したので、溶融樹脂の射出圧により、可動型が湾曲したり、折れたりするような損傷を確実に防止することができる。
【図面の簡単な説明】
【図１】図１は本発明の合成樹脂製パレット用金型構造の一部破断面を含む部分斜視図である。
【図２】図２は図１に示されている合成樹脂製パレット用金型構造の部分垂直側断面図である。
【図３】図３は本発明の合成樹脂製パレット用金型構造により成形された合成樹脂製パレットの隅桁付近の部分斜視図である。
【図４】図４は本発明の別の実施例の合成樹脂製パレット用金型構造の一部破断面を含む部分斜視図である。
【図５】図５は図４に示されている合成樹脂製パレット用金型構造の部分垂直側断面図である。
【図６】図６は図４に示されている本発明の合成樹脂製パレット用金型構造により成形された合成樹脂製パレットの隅桁付近の部分斜視図である。
【図７】図７は本発明の更に別の実施例の合成樹脂製パレット用金型構造の部分垂直側断面図である。
【図８】図８は図７に示されている本発明の合成樹脂製パレット用金型構造により成形された合成樹脂製パレットの隅桁付近の部分斜視図である。
【図９】図９は従来の合成樹脂製パレットの部分斜視図である。
【図１０】図１０は従来の合成樹脂製パレットの隅桁付近の部分斜視図である。
【図１１】図１１は従来の合成樹脂製パレットを成形するための金型構造の部分分解斜視図である。
【図１２】図１２は従来の合成樹脂製パレット用金型構造の部分垂直側断面図である。
【符号の説明】
Ｍ・・・・・・・・・・・・金型構造
ｍ１・・・・・・・・・・・固定型
ｍ２・・・・・・・・・・・可動型
ｍ３・・・・・・・・・・・スライド型
３・・・・・・・・・・・・隅桁
【図１】
0004745505.tif 000002
【図２】
0004745505.tif 000003
【図３】
0004745505.tif 000004
【図４】
0004745505.tif 000005
【図５】
0004745505.tif 000006
【図６】
0004745505.tif 000007
【図７】
0004745505.tif 000008
【図８】
0004745505.tif 000009
【図９】
0004745505.tif 000010
【図１０】
0004745505.tif 000011
【図１１】
0004745505.tif 000012
【図１２】
0004745505.tif 000013